(57)【特許請求の範囲】
【請求項１】
データが記録された記録体との間で非接触の通信によりデータを送受信する第１通信部と、
リーダライタとの間で非接触の通信によりデータを送受信する第２通信部と、
前記第１通信部と接続される第１変換部と、
前記第２通信部と接続される第２変換部と、
前記第１変換部と前記第２変換部との間に設けられ、データが第３プロトコルのフォーマットで送受信される通信媒体と、
を備え、
前記第１通信部及び前記第２通信部は、それぞれの通信可能範囲が重ならない位置に配置され、
前記第１変換部は、
前記記録体から第１プロトコルのフォーマットで受信したデータを第１プロトコルとは異なる第３プロトコルのフォーマットに変換して、前記通信媒体を介して前記第２変換部に送信し、また、前記第２変換部から前記通信媒体を介して第３プロトコルのフォーマットで受信したデータを第１プロトコルのフォーマットに変換後、前記記録体に送信し、
前記第２変換部は、
前記リーダライタから第２プロトコルのフォーマットで受信したデータを第２プロトコルとは異なる第３プロトコルのフォーマットに変換して、前記通信媒体を介して前記第１変換部に送信し、また、前記第１変換部から前記通信媒体を介して第３プロトコルのフォーマットで受信したデータを第２プロトコルのフォーマットに変換後、前記リーダライタに送信すること、を特徴とするデータ変換装置。
【請求項２】
請求項１に記載のデータ変換装置であって、
前記第２変換部は、
前記記録体と前記リーダライタとの間で非接触の通信によりデータを送受信する場合は、前記第２通信部を非活性状態とし、前記記録体と前記リーダライタとの間で前記データ変換装置を介してデータを送受信する場合は、前記第２通信部を活性状態とすること、
を特徴とするデータ変換装置。
【請求項３】
請求項１又は２に記載のデータ変換装置であって、
前記第１変換部は、
前記第２変換部に送信するデータを暗号化する暗号化処理部と、前記第２変換部から受信したデータを複合化する複合化処理部と、を備え、
前記第２変換部は、
前記第１変換部から受信したデータを複合化する複合化処理部と、前記第１変換部へ送信するデータを暗号化する暗号化処理部と、を備えること、
を特徴とするデータ変換装置。
【請求項４】
請求項３に記載のデータ変換装置であって、
前記第１変換部と前記第２変換部との間で送受信される暗号化されたデータは、前記第１変換部及び前記第２変換部において、第１プロトコル及び第２プロトコルとは異なる第３プロトコルのフォーマットに変換されること、
を特徴とするデータ変換装置。
【発明の詳細な説明】
【技術分野】
【０００１】
本発明は、データ変換装置に関する。
【背景技術】
【０００２】
従来、非接触のＩＣカードとリーダライタとの間において、異なるプロトコルでの通信を可能とするデータ変換装置が提案されている。このデータ変換装置は、ＩＣカードとの通信及びリーダライタとの通信に使用される共用アンテナと、複数のプロトコルを記憶したメモリと、を備えている（特許文献１参照）。
【先行技術文献】
【特許文献】
【０００３】
【特許文献１】特開２０１１−２３９１８１号公報
【発明の概要】
【発明が解決しようとする課題】
【０００４】
上記特許文献１に記載のデータ変換装置では、ＩＣカードとの通信及びリーダライタとの通信に共用アンテナを使用しているため、ＩＣカードとリーダライタとの間が離れている場合には、通信を確実に行うことができなくなることが考えられる。
【０００５】
本発明の目的は、ＩＣカードとリーダライタとの間が離れている場合でも、通信をより確実に行うことができるデータ変換装置を提供することにある。
【課題を解決するための手段】
【０００６】
本発明は、以下のような解決手段により、前記課題を解決する。なお、理解を容易にするために、本発明の実施形態に対応する符号を付して説明するが、これに限定されるものはない。また、符号を付して説明した構成は、適宜改良してもよく。また、少なくとも一部を他の構成物に代替してもよい。
・第１の発明は、データが記録された記録体（１０）との間で非接触の通信によりデータを送受信する第１通信部（４１）と、リーダライタ（２０）との間で非接触の通信によりデータを送受信する第２通信部（５１）と、前記記録体から第１プロトコルで受信したデータを前記リーダライタと通信可能な第２プロトコルに変換後、前記第２通信部を介して前記リーダライタに送信し、前記リーダライタから第２プロトコルで受信したデータを前記記録体と通信可能な第１プロトコルに変換後、前記第１通信部を介して前記記録体に送信する変換部と、を備え、前記第１通信部及び前記第２通信部は、それぞれの通信可能範囲が重ならない位置に配置されていることを特徴とするデータ変換装置（３０）である。
・第２の発明は、第１の発明のデータ変換装置（３０）であって、第１プロトコル及び前記第１プロトコルとは異なる少なくとも１つの第２プロトコルを記憶するプロトコル記憶部（４４、５４）を備え、前記変換部は、前記プロトコル記憶部に記憶された第１プロトコル又は少なくとも１つの第２プロトコルを読み出して、前記記録体（２０）又は前記リーダライタ（２０）から受信した前記データのフォーマットを変換することを特徴とするデータ変換装置である。
・第３の発明は、第１又は第２の発明のデータ変換装置（３０）であって、前記変換部は、前記記録体（１０）と前記リーダライタ（２０）との間で非接触の通信によりデータを送受信する場合は、前記第２通信部（５１）を非活性状態とし、前記記録体と前記リーダライタとの間で前記データ変換装置を介してデータを送受信する場合は、前記第２通信部を活性状態とすることを特徴とするデータ変換装置である。
・第４の発明は、第１から第３までのいずれかのデータ変換装置（３０）であって、前記変換部は、前記第１通信部（４１）と接続され、前記記録体（１０）から第１プロトコルのフォーマットで受信したデータを前記リーダライタ（２０）と通信可能な第２プロトコルのフォーマットに変換する第１変換部（４０）と、前記第２通信部（５５）と接続され、前記リーダライタから第２プロトコルのフォーマットで受信したデータを前記記録体と通信可能な第１プロトコルのフォーマットに変換する第２変換部（５０）と、前記第１変換部と前記第２変換部との間を接続する通信媒体（３１）と、を備えることを特徴とするデータ変換装置である。
・第５の発明は、第４の発明のデータ変換装置（３０）であって、前記第１変換部（４０）は、前記第２変換部（５０）に送信するデータを暗号化する暗号化処理部（４５）と、前記第２変換部から受信したデータを複合化する複合化処理部（４５）とを備え、前記第２変換部は、前記第１変換部から受信したデータを複合化する複合化処理部（５５）と、前記第１変換部へ送信するデータを暗号化する暗号化処理部（５５）と、を備えることを特徴とするデータ変換装置である。
・第６の発明は、第５の発明のデータ変換装置（３０）であって、前記第１変換部（４０）と前記第２変換部（５０）との間で送受信される暗号化されたデータは、前記第１変換部及び前記第２変換部において、第１プロトコル及び第２プロトコルとは異なる第３プロトコルのフォーマットに変換されることを特徴とするデータ変換装置である。
【発明の効果】
【０００７】
本発明によれば、ＩＣカードとリーダライタとの間が離れている場合でも、通信をより確実に行うことができる。
【図面の簡単な説明】
【０００８】
【図１】実施形態におけるデータ読み取りシステム１の全体構成を示す概念図である。
【図２】ＩＣカード１０の構成を示すブロック図である。
【図３】リーダライタ２０の構成を示すブロック図である。
【図４】データ変換装置３０の構成を示すブロック図である。
【図５】第１変換部４０と第２変換部５０との間で送受信されるデータの概念図である。
【図６】データ読み取りシステム１において実行されるデータの送受信処理を示すフローチャートである。
【発明を実施するための形態】
【０００９】
以下、本発明の実施形態として、本発明に係るデータ変換装置を備えたデータ読み取りシステムについて説明する。
図１は、本実施形態におけるデータ読み取りシステム１の全体構成を示す概念図である。図２は、ＩＣカード１０の構成を示すブロック図である。図３は、リーダライタ２０の構成を示すブロック図である。図４は、データ変換装置３０の構成を示すブロック図である。
【００１０】
本実施形態のデータ読み取りシステム１は、利用者が店舗でＩＣカードにより代金の決済をする場合に使用される。図１に示すように、データ読み取りシステム１が適用される店舗には、一般用レジ１００と、補助レジ２００とが設置されている。
一般用レジ１００は、一般的な大人の利用者等が使用するレジである。一般用レジ１００には、レジスタ１１０が配置されている。レジスタ１１０は、精算処理機能、売上集計管理機能、電子決済機能等を備えた装置である。レジスタ１１０には、リーダライタ２０（後述）が接続されている。リーダライタ２０の近傍には、データ変換装置３０の第２変換部５０（後述）が設置されている。
また、レジスタ１１０は、通信ネットワーク（不図示）に接続されており、この通信ネットワークを介して上位サーバ（不図示）との間でデータの送受信を行うことができる。上位サーバは、例えば、店舗を運営する事業者が管理するサーバである。
【００１１】
補助レジ２００は、一般用レジ１００のリーダライタ２０に手が届きにくい大人、高齢者、子供、身体障害者等（以下、「利用者Ｐ」ともいう）が使用するレジである。補助レジ２００には、データ変換装置３０の第１変換部４０（後述）が設置されている。なお、補助レジ２００は、一般用レジ１００から離れた場所（例えば、２〜３ｍ程度）に設置されている。
【００１２】
データ読み取りシステム１は、ＩＣカード（記録体）１０と、リーダライタ２０と、データ変換装置３０と、を備える。
ＩＣカード１０は、利用者Ｐが保持する非接触のＩＣカードである。利用者Ｐは、店舗内で買い物をする際に、補助レジ２００の所定位置（第１変換部４０）にＩＣカード１０を近づけることにより、一般用レジ１００の位置まで移動することなく代金の決済を行うことができる。
【００１３】
ＩＣカード１０は、図２に示すように、アンテナ１１と、送受信部１２と、記憶部１３と、制御部１４と、を備える。
アンテナ１１は、データ変換装置３０の第１アンテナ４１（後述）との間で無線によりデータを送受信するループ状のアンテナである。
送受信部１２は、アンテナ１１を介して、リーダライタ２０又はデータ変換装置３０との間でデータを送受信するための通信インターフェースである。
【００１４】
記憶部１３は、制御部１４で実行されるプログラム、データ等が記憶される記憶装置である。記憶部１３は、例えば、半導体メモリにより構成される。本実施形態において、記憶部１３には、第１プロトコル、固有データが記憶されている。
本実施形態において、第１プロトコルは、ＩＳＯ／ＩＥＣ１４４４３  ＴｙｐｅＡの通信規格に準拠したプロトコルである。ＩＣカード１０では、ＩＳＯ／ＩＥＣ１４４４３  
ＴｙｐｅＡの通信規格に準拠したプロトコルのフォーマットによりデータの送受信が行われる。
【００１５】
ＩＣカード１０のプロトコルとリーダライタ２０のプロトコルとが同じ場合、ＩＣカード１０をリーダライタ２０に近づけることにより、リーダライタ２０との間で直接にデータの送受信を行うことができる。本実施形態では、ＩＣカード１０のプロトコルとリーダライタ２０のプロトコルとが異なるため、ＩＣカード１０とリーダライタ２０との間で直接にデータの送受信を行うことはできない。ＩＣカード１０とリーダライタ２０との間にデータ変換装置３０を介在させた場合にのみ、リーダライタ２０との間でデータの送受信を行うことができる。
固有データは、ＩＣカード１０を所有する利用者Ｐに関する各種のデータ（個人情報、カード情報、認証情報等）である。
【００１６】
制御部１４は、送受信部１２における通信、記憶部１３におけるデータの読み出し及び書き込み等の動作を制御するマイクロプロセッサである。利用者ＰがＩＣカード１０をデータ変換装置３０の第１アンテナ４１に近づけると、第１アンテナ４１の発する磁界から電磁誘導により電力が供給され、制御部１４は、動作状態となる。制御部１４の動作については、後述する。
【００１７】
リーダライタ２０は、ＩＣカード１０との間で非接触によりデータの送受信を行う装置である。リーダライタ２０は、図３に示すように、アンテナ２１と、送受信部２２と、記憶部２３と、制御部２４と、を備える。
【００１８】
アンテナ２１は、データ変換装置３０の第２アンテナ５１（後述）との間で無線によりデータを送受信するループアンテナである。
送受信部２２は、アンテナ２１を介して、ＩＣカード１０又はデータ変換装置３０との間でデータを送受信するための通信インターフェースである。
【００１９】
記憶部２３は、制御部２４で実行されるオペレーティングシステム、各種のアプリケーションプログラム、データ等が記憶される記憶装置である。記憶部２３は、例えば、半導体メモリにより構成される。本実施形態において、記憶部２３には、第２プロトコルが記憶されている。本実施形態において、第２プロトコルは、ＪＩＳＸ６３１９の通信規格に準拠したプロトコルである。リーダライタ２０は、ＪＩＳＸ６３１９の通信規格に準拠したプロトコルのフォーマットによりデータの送受信を行うことができる。
【００２０】
制御部２４は、送受信部２２における通信、記憶部２３におけるデータの読み出し及び書き込み、レジスタ１１０（図１参照）との間におけるデータの送受信等の動作を制御するマイクロプロセッサである。制御部２４は、記憶部２３からオペレーティングシステム、アプリケーションプログラムを読み出して実行することにより、各ハードウェアと協働して、上述した各種の動作を実現する。
【００２１】
データ変換装置３０は、データの送信先となる機器のプロトコルに応じてデータのフォーマットを変換する装置であり、ＩＣカード１０とリーダライタ２０との間に配置される。本実施形態のデータ変換装置３０は、図４に示すように、第１変換部４０と、第２変換部５０とから構成される。第１変換部４０及び第２変換部５０は、本実施形態において、本発明の変換部に相当する。
【００２２】
第１変換部４０は、補助レジ２００に配置される。第２変換部５０は、一般用レジ１００に配置される。第１変換部４０及び第２変換部５０は、それぞれのアンテナ（後述）の通信可能範囲が重ならない位置に配置されている。
【００２３】
また、第１変換部４０と第２変換部５０との間は、通信路３１により接続されている。本実施形態の通信路３１は、無線式の通信回線である。例えば、Ｗｉ−Ｆｉ通信、Ｂｌｕｅｔｏｏｔｈ（登録商標）等の無線ＬＡＮを用いることができる。なお、通信路３１は、第１変換部４０と第２変換部５０との間でデータの送受信が可能であれば、無線式に限定されない。通信路３１は、有線式の通信回線、例えば、ＵＡＲＴ（ＲＳ２３２、ＲＳ４８５等）、Ｉ２Ｃ、ＳＰＩ、ＵＳＢ等でもよい。また、通信路３１は、赤外線等でもよいし、その他の形式の回線であってもよい。
【００２４】
第１変換部４０は、第１アンテナ（第１通信部）４１と、送受信部４２と、回線通信部４３と、第１記憶部４４と、第１制御部４５と、を備える。
第１アンテナ４１は、アンテナ１１（ＩＣカード１０）との間で無線によりデータを送受信するループ状のアンテナである。
【００２５】
送受信部４２は、第１アンテナ４１を介して、ＩＣカード１０との間でデータを送受信するための通信インターフェースである。
回線通信部４３は、通信路３１を介して、第２変換部５０（回線通信部５３）との間でデータを送受信するための無線ＬＡＮ用の通信インターフェースである。
【００２６】
第１記憶部４４は、第１制御部４５で実行されるオペレーティングシステム、各種のアプリケーションプログラム、データ等が記憶される記憶装置である。第１記憶部４４は、例えば、半導体メモリにより構成される。本実施形態において、第１記憶部４４には、暗号化／複合化プログラム、第１プロトコル及び第２プロトコルが記憶されている。
【００２７】
暗号化／複合化プログラムは、コンピュータとしての第１制御部４５を、第２変換部５０に送信するデータを暗号化する暗号化処理部及び第２変換部５０から受信したデータを複合化する複合化処理部として機能させるためのプログラムである。第１プロトコルは、ＩＳＯ／ＩＥＣ１４４４３  ＴｙｐｅＡの通信規格に準拠したプロトコルである。第２プロトコル２３１は、ＪＩＳＸ６３１９の通信規格に準拠したプロトコルである。図示していないが、第１記憶部４４の所定領域には、ＩＣカード１０から読み取った固有データが一時的に記憶される。
【００２８】
第１制御部４５は、第１変換部４０の動作及び機能を統括的に制御するマイクロプロセッサである。第１制御部４５は、第１記憶部４４からオペレーティングシステム、アプリケーションプログラムを読み出して実行することにより、各ハードウェアと協働して、後述する各種の動作を実現する。
【００２９】
本実施形態において、第１制御部４５は、ＩＣカード１０から第１プロトコルのフォーマットで受信したデータを、通信路３１（例えば、Ｗｉ−Ｆｉ通信）のプロトコル（第３プロトコル）のフォーマットに変換し、第２変換部５０に送信する。また、第１制御部４５は、リーダライタ２０から第２変換部５０を介してデータを受信すると、そのデータのフォーマットを通信路３１のプロトコルのフォーマットから第１プロトコルのフォーマットに変換する。そして、第１制御部４５は、第１プロトコルのフォーマットに変換したデータを、第１アンテナ４１を介してＩＣカード１０に送信する。
なお、第１変換部４０の送受信部４２、回線通信部４３、第１記憶部４４及び第１制御部４５には、電源部（不図示）から電力が供給されている。
【００３０】
第２変換部５０は、第２アンテナ（第２通信部）５１と、送受信部５２と、回線通信部５３と、第２記憶部５４と、第２制御部５５と、を備える。
第２アンテナ５１は、アンテナ２１（リーダライタ２０）との間で無線によりデータを送受信するループ状のアンテナである。
送受信部５２は、第２アンテナ５１を介して、リーダライタ２０との間でデータを送受信するための通信インターフェースである。
回線通信部５３は、通信路３１を介して、第１変換部４０との間でデータを送受信するための無線ＬＡＮ用の通信インターフェースである。
【００３１】
第２記憶部５４は、第２制御部５５で実行されるオペレーティングシステム、各種のアプリケーションプログラム、データ等が記憶される記憶装置である。第２記憶部５４は、例えば、半導体メモリにより構成される。本実施形態において、第２記憶部５４には、暗号化／複合化プログラム、第１プロトコル及び第２プロトコルが記憶されている。
【００３２】
暗号化／複合化プログラムは、コンピュータとしての第２制御部５５を、第１変換部４０に送信するデータを暗号化する暗号化処理部及び第１変換部４０から受信したデータを複合化する複合化処理部として機能させるためのプログラムである。第１プロトコルは、ＩＳＯ／ＩＥＣ１４４４３  ＴｙｐｅＡの通信規格に準拠したプロトコルである。第２プロトコルは、ＪＩＳＸ６３１９の通信規格に準拠したプロトコルである。図示していないが、第２記憶部５４の所定領域には、第１変換部４０から送信されたＩＣカード１０の固有データが一時的に記憶される。
【００３３】
第２制御部５５は、第２変換部５０の動作及び機能を統括的に制御するマイクロプロセッサである。第２制御部５５は、第２記憶部５４からオペレーティングシステム、アプリケーションプログラムを読み出して実行することにより、各ハードウェアと協働して、後述する各種の動作を実現する。
【００３４】
本実施形態において、第２制御部５５は、リーダライタ２０から第２プロトコルのフォーマットで受信したデータを、通信路３１のプロトコルのフォーマットに変換し、第１変換部４０を介してＩＣカード１０に送信する。また、第２制御部５５は、ＩＣカード１０から第１変換部４０を介してデータを受信すると、そのデータのフォーマットを通信路３１のプロトコルのフォーマットから第２プロトコルのフォーマットに変換する。そして、第２制御部５５は、第２プロトコルのフォーマットに変換したデータを、第２アンテナ５１を介してリーダライタ２０に送信する。
【００３５】
また、通常の使用形態においては、ＩＣカード１０とリーダライタ２０（一般用レジ１００）との間で非接触の通信によりデータが直接に送受信されることが多い。そのため、第２制御部５５は、通常設定として、送受信部５２の動作を停止して、第２アンテナ５１を非活性状態としている。第２アンテナ５１から発せられる磁界により、ＩＣカード１０とリーダライタ２０との間の通信に影響を与えないようにするためである。
【００３６】
一方、ＩＣカード１０と第１変換部４０（補助レジ２００）との間で非接触の通信によりデータが送受信される場合、すなわち、利用者ＰがＩＣカード１０を第１変換部４０に近づけてデータを送受信しようとした場合は、送受信部５２を動作させて、第２アンテナ５１を活性状態とする。具体的には、第２制御部５５は、第１変換部４０から送信された応答要求信号（後述のポーリング）に対して、ＩＣカード１０からの応答信号（後述のポーリング応答）を第１変換部４０が受信した場合、利用者ＰがＩＣカード１０を第１変換部４０に近づけたと判定して、第２アンテナ５１を活性状態とする。
なお、第２変換部５０の送受信部５２、回線通信部５３、第２記憶部５４及び第２制御部５５には、電源部（不図示）から電力が供給されている。
【００３７】
ここで、第１変換部４０と第２変換部５０との間で送受信されるデータの暗号化について説明する。本実施形態のデータ読み取りシステム１では、第１変換部４０と第２変換部５０との間を無線ＬＡＮにより通信している。そのため、この間で送受信されるデータを暗号化している。
【００３８】
図５は、第１変換部４０と第２変換部５０との間で送受信されるデータの概念図である。
図５（ａ）に示すように、送受信されるデータには、ヘッダとフッタとが付加される。上述したように、通信路３１を無線ＬＡＮで構成した場合、データの部分を無線ＬＡＮのプロトコルに従って暗号化して、図５（ｂ）に示すように、暗号化データＡとして送受信される。例えば、ＩＣカード１０から送信されたデータを、第１変換部４０から第２変換部５０へ送信する場合は、第１変換部４０の第１制御部４５が第１記憶部４４から暗号化プログラムを読み出して、データを暗号化する。そして、第１変換部４０から暗号化されたデータを受信した第２変換部５０の第２制御部５５は、第２記憶部５４から複合化プログラムを読み出して、データを複合化する。
【００３９】
また、リーダライタ２０から送信されたデータを、第２変換部５０から第１変換部４０へ送信する場合は、第２変換部５０の第２制御部５５が第２記憶部５４から暗号化プログラムを読み出して、データを暗号化する。そして、第２変換部５０から暗号化されたデータを受信した第１変換部４０の第１制御部４５は、第１記憶部４４から複合化プログラムを読み出して、データを複合化する。
【００４０】
なお、第１変換部４０及び第２変換部５０において、送受信するデータのプロトコルを変換する場合、各制御部は、データ部分を加工することなく、ヘッダ及びフッタを送信先のプロトコルと同じプロトコルのフォーマットに変換する。
【００４１】
また、データを無線ＬＡＮのプロトコルに従って暗号化した後、通信の環境に適した他のプロトコルのフォーマットに変換して送信してもよい。例えば、利用者の利便性を高めるため、コンタクトレス通信等に対応したプロトコルのフォーマットに変換して送受信してもよい。その場合、図５（ｂ）に示すように、ヘッダ、暗号化データＡ及びフッタを含む全体を暗号化して暗号化データＡ´とした後、更に図５（ｃ）に示すように、この暗号化データＡ´に別のヘッダとフッタを付加して送信してもよい。
【００４２】
次に、データ読み取りシステム１において、データの送受信処理について説明する。図６は、データ読み取りシステム１において実行されるデータの送受信処理を示すフローチャートである。ここでは、利用者ＰがＩＣカード１０を第１変換部４０に近づけてデータを送受信する場合について説明する。なお、以下の説明においては、第１変換部４０と第２変換部５０との間で送受信されるデータの暗号化処理、通信路３１においてデータのプロトコルのフォーマットを変換する処理についての説明を省略する。
【００４３】
図６において、第１変換部４０の第１制御部４５は、第１アンテナ４１から応答要求信号を定期的に発信する（Ｓ１：ポーリング）。このとき、第１アンテナ４１からは、第１プロトコルのフォーマットによる応答要求信号と、第２プロトコルのフォーマットによる応答要求信号とが交互に発信される。
【００４４】
なお、リーダライタ２０からは、第２プロトコルのフォーマットによる応答要求信号が定期的に発信されている。そのため、ＩＣカード１０（第１プロトコル）とは異なる他のＩＣカード（第２プロトコル）を保持した利用者は、そのＩＣカードをリーダライタ２０に近づけることにより、データの送受信を行うことができる。
【００４５】
第１変換部４０から応答要求信号が発信されている間に、利用者ＰがＩＣカード１０を第１変換部４０に近づけると、第１プロトコルのフォーマットによる応答要求信号に対して、ＩＣカード１０のアンテナ１１から応答信号が送信される（Ｓ２：ポーリング応答）。
【００４６】
ＩＣカード１０から送信された応答信号は、第１変換部４０の第１アンテナ４１で受信される。第１変換部４０の第１制御部４５は、第１記憶部４４に記憶されているプロトコルを順に読み出して、受信した応答信号を解析し、ＩＣカード１０のプロトコル（ここでは第１プロトコル）を特定する。また、第１制御部４５は、受信した応答信号を、通信路３１を介して第２変換部５０に送信する。
【００４７】
第２変換部５０の第２制御部５５は、第１変換部４０を介してＩＣカード１０からの応答信号を受信すると、利用者ＰがＩＣカード１０を第１変換部４０に近づけたと判定して、第２アンテナ５１を活性状態とする（Ｓ３：第２アンテナをオン）。これにより、第２変換部５０において、リーダライタ２０のアンテナ２１から発信された応答要求信号の受信が可能となる。
【００４８】
次に、第１変換部４０の第１制御部４５は、第１記憶部４４から第１プロトコルを読み出して、第１アンテナ４１から第１プロトコルのフォーマットによるメモリアクセスコマンドを送信する（Ｓ４）。ここで送信されるメモリアクセスコマンドは、ＩＣカード１０から固有データの読み出し処理を行うためのコマンドである。
【００４９】
ＩＣカード１０の制御部１４は、第１変換部４０からメモリアクセスコマンドを受信すると、記憶部１３に記憶されている固有データを読み出し、アンテナ１１から第１プロトコルの応答信号として第１変換部４０に送信する（Ｓ５：コマンド応答）。
なお、ＩＣカード１０から送信される固有データが暗号化されている場合には、ＩＣカード１０との間でコマンドを１回送受信するだけでは、ＩＣカード１０から固有データを取り込めないこともある。その場合は、上述したメモリアクセスコマンドの送信（Ｓ４）と、これに対する応答信号の送信（Ｓ５）とが複数回繰り返される。
【００５０】
第１変換部４０の第１制御部４５は、ＩＣカード１０から受信した固有データを、通信路３１を介して第２変換部５０に送信する。第２変換部５０の第２制御部５５は、第１変換部４０から受信した固有データを、第２記憶部５４に記憶されている第１プロトコルで解析し、第２記憶部５４に記憶させる（Ｓ６）。
【００５１】
リーダライタ２０の制御部２４は、アンテナ２１から応答要求信号を発信する（Ｓ７：ポーリング）。この応答要求信号は、リーダライタ２０から定期的に発信される信号であり、第２アンテナ５１が活性状態となることで受信可能となる。
第２変換部５０の第２制御部５５は、リーダライタ２０から応答要求信号を第２アンテナ５１で受信すると、第２記憶部５４に記憶されているプロトコルを順に読み出して、受信した応答要求信号を解析し、リーダライタ２０のプロトコル（ここでは第２プロトコル）を特定する。そして、第２制御部５５は、第２アンテナ５１から第２プロトコルのフォーマットによる応答信号を送信する（Ｓ８：ポーリング応答）。
【００５２】
リーダライタ２０の制御部２４は、第２変換部５０から応答信号を受信すると、第１アンテナ４１から第２プロトコルのフォーマットによるメモリアクセスコマンドを送信する（Ｓ９）。ここで送信されるメモリアクセスコマンドは、ＩＣカード１０から固有データの読み出し処理を行うためのコマンドであるが、実際には、第２変換部５０から固有データの読み出しが行われる。
なお、リーダライタ２０に送信する固有データが暗号化されている場合には、リーダライタ２０との間でコマンドを１回送受信するだけでは、リーダライタ２０において固有データを取り込めないこともある。その場合は、上述したメモリアクセスコマンドの送信（Ｓ９）と、後述する応答信号の送信（Ｓ１１）とが複数回繰り返される。
【００５３】
また、ＩＣカード１０から送信されたコマンド応答の結果を、データ変換装置３０を介してリーダライタ２０へ送信した場合、そのコマンド応答の結果に基づいて、リーダライタで新たなコマンドが生成されることがある。その新たなコマンドは、データ変換装置３０を介して再びＩＣカード１０に送られ、ＩＣカード１０から次のコマンド応答が返信される。このように、ＩＣカード１０とリーダライタ２０の間において、データ変換装置３０を介して、コマンドの送信及びこれに対するコマンド応答の送信が複数回繰り返されることがある。
【００５４】
第２変換部５０の第２制御部５５は、リーダライタ２０からメモリアクセスコマンドを受信すると、第２記憶部５４に記憶されている固有データを読み出し、第２プロトコルのフォーマットに変換する（Ｓ１０）。そして、第２制御部５５は、フォーマット変換した固有データを、第２アンテナ５１から第２プロトコルのフォーマットによる応答信号としてリーダライタ２０に送信する（Ｓ１１：コマンド応答）。これにより、リーダライタ２０は、プロトコルの異なる１Ｃカード１０に記録された固有データを取得する。
【００５５】
なお、図示していないが、利用者ＰがＩＣカード１０を第１変換部４０から離すと、第１変換部４０から送信された存在確認のコマンドに対して無応答となる。第１変換部４０は、存在確認のコマンドに対して無応答の状態が所定時間継続した場合は、データの送受信処理を停止する。第２変換部５０の第２制御部５５は、第１変換部４０においてデータの送受信処理が停止すると、利用者ＰがＩＣカード１０を第１変換部４０から離したと判定して、第２アンテナ５１を非活性状態とする。
【００５６】
上述した実施形態のデータ変換装置３０によれば、次のような効果を奏する。
（１）本実施形態のデータ変換装置３０は、ＩＣカード１０との間でデータを送受信する第１アンテナ４１と、リーダライタ２０との間でデータを送受信する第２アンテナ５１とを備えるため、ＩＣカード１０とリーダライタ２０との間が離れていても、単一の共用アンテナで通信を行う場合に比べて、通信をより確実に行うことができる。
【００５７】
（２）本実施形態のデータ変換装置３０では、第１アンテナ及び第２アンテナ５１において同時にデータの送受信ができるため、単一の共用アンテナでデータを送受信する場合に比べて、データの通信速度を向上させることができる。そのため、例えば、利用者Ｐが補助レジ２００で決済し、一般用レジ１００で利用明細書を受け取る場合、利用者Ｐが補助レジ２００から一般用レジ１００まで移動するまでの間に、データの送受信を完了させることができる。
【００５８】
（３）本実施形態のデータ変換装置３０では、第１変換部４０及び第２変換部５０のそれぞれに記憶したプロトコルを読み出して、送受信するデータのフォーマットを変換するため、既存のＩＣカード１０、リーダライタ２０を利用してデータ読み取りシステム１を構築することができる。
【００５９】
（４）本実施形態のデータ変換装置３０では、通常設定として、第２アンテナ５１を非活性状態としている。そのため、利用者がＩＣカード１０をリーダライタ２０に近づけてデータを送受信する場合、第２アンテナ５１から発せられる応答要求信号により、ＩＣカード１０とリーダライタ２０との間の通信に影響を与えないようにすることができる。また、データ変換装置３０では、利用者がＩＣカード１０を第１変換部４０に近づけてデータを送受信しようとした場合、第２アンテナ５１が活性状態となる。そのため、第２変換部５０とリーダライタ２０との間において、より速やかに通信を開始することができる。
【００６０】
（５）本実施形態のデータ変換装置３０では、第１変換部４０と第２変換部５０との間で送受信されるデータを暗号化しているため、第１変換部４０と第２変換部５０との間で通信路３１を介してデータを送受信する場合において、個人情報等が含まれるデータのセキュリティ性をより高めることができる。
【００６１】
以上、本発明の一実施形態について説明したが、本発明は、上述した実施形態に限定されるものではない。また、実施形態に記載した効果は、本発明から生じる最も好適な効果を列挙したに過ぎず、実施形態に記載したものに限定されない。なお、上述した実施形態及び後述する変形形態は、適宜に組み合わせることもできるが、詳細な説明は省略する。
【００６２】
（変形形態）
（１）本実施形態では、ＩＣカード１０が第１プロトコルに対応し、リーダライタ２０が第２プロトコルに対応する例について説明したが、これに限定されず、ＩＣカード１０が第２プロトコルに対応し、リーダライタ２０が第１プロトコルに対応する組合せであってもよい。また、通信に用いられるプロトコルは、第１プロトコル（ＩＳＯ／ＩＥＣ１４４４３  ＴｙｐｅＡ）、第２プロトコル（ＪＩＳＸ６３１９）に限定されず、他のプロトコル、例えば、ＩＳＯ／ＩＥＣ１４４４３  ＴｙｐｅＢの通信規格に準拠したプロトコルが含まれていてもよい。
このＩＳＯ／ＩＥＣ１４４４３  ＴｙｐｅＢの通信規格に準拠したプロトコルに対応したＩＣカードが使用される場合、第１変換部４０の第１記憶部４４及び第２変換部５０の第２記憶部５４に、それぞれＩＳＯ／ＩＥＣ１４４４３  ＴｙｐｅＢの通信規格に準拠したプロトコルを記憶すればよい。
【００６３】
また、本実施形態では、第１プロトコルと第２プロトコルとが異なるプロトコルである例について説明したが、これに限らず、第１プロトコルと第２プロトコルとが同じプロトコルであってもよい。その場合、第１プロトコルに対応するＩＣカード１０を、同じ第１プロトコルに対応するリーダライタ２０に近づけて使用することが可能となる。
【００６４】
（２）本実施形態のデータ変換装置３０において、第２アンテナ５１と送受信部５２との間にスイッチ回路を設け、第２制御部５５によりスイッチ回路のオン／オフを制御することにより、第２アンテナ５１を非活性状態又は活性状態のいずれかに切り替える構成としてもよい。
【００６５】
（３）本実施形態のデータ変換装置３０において、第１変換部４０及び第２変換部５０を１つの変換部としてもよい。その場合、第１アンテナ４１及び送受信部４２、第２アンテナ５１及び送受信部５２はそのままとし、第１制御部４５と第２制御部５５とを統合すると共に、第１記憶部４４と第２記憶部５４とを統合する。また、データ変換装置３０の内部では、データを暗号化する必要がないため、通信路３１、回線通信部４３、回線通信部５３及び暗号化／複合化プログラムを省略することができる。
【符号の説明】
【００６６】
１    データ読み取りシステム
１０  ＩＣカード
２０  リーダライタ
３０  データ変換装置
４０  第１変換部
４１  第１アンテナ
４２  送受信部
４５  第１制御部
５０  第２変換部
５１  第２アンテナ
５２  送受信部
５５  第２制御部
【図１】
0006676924.tif 000002
【図２】
0006676924.tif 000003
【図３】
0006676924.tif 000004
【図４】
0006676924.tif 000005
【図５】
0006676924.tif 000006
【図６】
0006676924.tif 000007